(57)【要約】【課題】内部が複数の室に分かれていないバッグに、クリアファイルや封筒に入れた書類を立たせた状態で収納できるバッグの中敷きを提供する。【解決手段】中敷き本体２の表面に突起３を設けて、この突起にクリアファイルや封筒が引っ掛かるようにして、トートバッグＢの中で、クリアファイルや封筒を立たせた状態で収納する。お気に入りのトートバッグにバッグの中敷き１を入れて、お気に入りのトートバッグをビジネス用のバッグとして利用する。【選択図】図１
2018094226.tif 000002
【特許請求の範囲】
【請求項１】
バッグの中敷きにおいて、
前記バッグの中敷きが、その表面に突起を備えていることを特徴とするバッグの中敷き。
【請求項２】
前記突起が、バッグの中敷きの表面に対して鋭角又は直角の立ち上がり部を有することを特徴とする請求項１に記載のバッグの中敷き。
【請求項３】
前記突起が、バッグの中敷きの長辺に沿って列状に配されていることを特徴とする請求項１または請求項２に記載のバッグの中敷き。
【発明の詳細な説明】
【技術分野】
【０００１】
この発明は、バッグの中敷きに関し、特に内部が複数の室に分かれていないバッグに、クリアファイルや封筒に入れた書類を立てた状態で収納できるバッグの中敷きに関する。
【背景技術】
【０００２】
バッグの中敷きではないものの、仕切りを着脱できる仕切り着脱式バッグとしては、バッグ本体とブリーフケース型の仕切りに、互いにスライド可能にはまり合うスライド部材を備えることで、仕切りを上方に引き抜くことでバッグ本体から仕切りを外すことができ、仕切りを下方に差し入れることで仕切りをバッグ本体に取り付けられる仕切り着脱式バッグが提案されている（例えば、特許文献１参照）。この仕切り着脱式バッグでは、ブリーフケース型の仕切りにＡ４サイズの書類を入れられるようになっている。
【０００３】
また、バッグの中敷きではないものの、バッグに書類を整理して収納する止め金具としては、棒状の本体の中央部を折り曲げてコ形状に形成し、このコ形状に形成したものの両端部をそれぞれ折り曲げて、両端部にそれぞれ止着部を形成した止め金具が提案されている（例えば、特許文献２参照）。この止め金具では、止着部に書類を差し込むと、止着部のばね力によって書類を立てた状態で保持できるようになっている。
【先行技術文献】
【特許文献】
【０００４】
【特許文献１】実用新案登録第３１７０７０１号公報（段落０００５，００２０、図１）
【特許文献２】特開２００３−３２５３０５号公報（段落００１９，００２１、図６）
【発明の概要】
【発明が解決しようとする課題】
【０００５】
しかしながら、前記特許文献１に係る仕切り着脱式バッグでは、ブリーフケース型の仕切りをバッグの内部に取り付けているところ、書類がない場合に仕切りを使う必要がなく、仕切りが邪魔になってしまう。特に、前記特許文献１に係る仕切り着脱式バッグでは、仕切りがマチを２等分するように取り付けられているために、仕切りを取り付けると、幅の広い物を収納できない。そこで、前記特許文献１に係る着脱式バッグでは、仕切りをバッグ本体から簡単に着脱しやすいようにしているが、例えば、仕切りを取り外して外出し、外出先で書類を受け取った場合には、バッグに書類を整理して収納できなくなる。
【０００６】
また、前記特許文献２に係る止め金具では、バッグの開口近くに棒状のものを折り曲げて形成した止着部を備えているために、バッグから物を取り出す際に止着部に手をひっかけてしまう。
【０００７】
そこで、この発明では、前記した課題を解決し、特に内部が複数の室に分かれていないバッグに、クリアファイルや封筒に入れた書類を立てた状態で収納できるバッグの中敷きを提供することを目的とする。
【課題を解決するための手段】
【０００８】
前記課題を解決するため、請求項１に係る発明では、バッグの中敷きの表面に、突起を設けた。
【０００９】
請求項２に係る発明では、前記突起に、バッグの中敷きの表面に対して鋭角又は直角の立ち上がり部を設けた。
【００１０】
請求項３に係る発明では、前記突起を、バッグの中敷きの長辺に沿って列状に配した。
【発明の効果】
【００１１】
請求項１に係る発明によれば、バッグの中敷きの表面に突起を設けたので、この突起にクリアファイルや封筒が引っ掛かり、クリアファイルや封筒を立たせた状態で収納することができる。
【００１２】
そこで、請求項１に係る発明によれば、特にバッグの内部が複数の室に分かれていないバッグであっても、クリアファイルや封筒を立たせた状態で収納できるので、クリアファイルや封筒がバッグの底で丸まって、クリアファイルや封筒に入れた書類がしわくちゃになってしまうことを防ぐことができる。
【００１３】
そして、請求項１に係る発明によれば、特にバッグの内部が複数の室に分かれていないバッグであっても、クリアファイルや封筒に入れた書類がしわくちゃになることを防げるので、例えばトートバッグなど一般にバッグの内部が複数の室に分かれていないバッグをビジネス用のバッグとして利用することができる。
【００１４】
また、請求項１に係る発明によれば、突起をバッグの中敷きに設けた、言い換えると、書類を立たせた状態で収納できる仕組みをバッグの中敷きに詰め込んだので、例えばお気に入りのトートバッグに請求項１に係る中敷きを入れるだけで、お気に入りのトートバッグをビジネス用のバッグとして利用することもできる。
【００１５】
さらに、請求項１に係る発明によれば、突起をバッグの中敷きに設けたので、例えば特許文献１に係る仕切り着脱式バッグのようにマチを２等分することもない。そのため、請求項１に係る発明によれば、マチ幅いっぱいの幅の広い物も収納することができる。
【００１６】
加えて、請求項１に係る発明によれば、突起をバッグの中敷きに設けたので、例えば特許文献２に係る止め金具のように、バッグから物を取り出す際に異物に手をひっかけてしまうこともない。
【００１７】
請求項２に係る発明によれば、突起にバッグの中敷きの表面に対して鋭角又は直角の立ち上がり部を設けたので、突起からクリアファイルや封筒を外れにくくすることができる。
【００１８】
請求項３に係る発明によれば、突起をバッグの中敷きの長辺に沿って列状に配したので、複数の点や面として配された突起に、よりしっかりとクリアファイルや封筒を引っ掛からせことができる。
【図面の簡単な説明】
【００１９】
【図１】実施形態に係るバッグの中敷きの使用状態を示す説明図である。
【図２】実施形態に係るバッグの中敷きの斜視図である。
【図３】他の実施形態に係るバッグの中敷きの斜視図である。
【図４】他の実施形態に係るバッグの中敷きの斜視図である。
【図５】他の実施形態に係るバッグの中敷きの斜視図である。
【図６】他の実施形態に係るバッグの中敷きの斜視図である。
【図７】他の実施形態に係るバッグの中敷きの使用状態を示す説明図である。
【発明を実施するための形態】
【００２０】
まず、この発明の創作の基礎となる事項について簡単に説明する。出願人は１９８３年創業のバッグ製造メーカーであり、永きにわたり大手アパレルと物作りに取り組むことで培った、製品に対する徹底した品質管理、最新の手法を取り入れた生産技術のノウハウなどを生かし、製品の製造・開発に努めている。近年では、オリジナルブランド「ＦＵＬＬＣＬＩＰ」（商標登録第５６２６０３０号）として、フィッシング関連のアイテムを中心にバッグ、ポーチ、革小物、アパレル、ヘッドウェアーなどを展開している。
【００２１】
発明者は、主にフィッシング関連のアイテムの企画から製造、販売までを行っており、近年ではアウトドアバッグやカジュアルバッグも取り扱っている。そして、発明者は、バッグ職人として実用性を重視しており、「必要な物を収納しやすいこと。取り出しやすくて、そのあとにまた収納するときもスムーズなこと」にこだわってきた。この発明は、まさにこのこだわりから創作されたものである。
【００２２】
発明者は、日ごろから必要な物を収納しやすく、取り出しやすいことにこだわって製品の開発に努めているところ、オリジナルブランド「ＦＵＬＬＣＬＩＰ」の愛用者から、「ＦＵＬＬＣＬＩＰ」のアウトドアバッグやカジュアルバッグをビジネス用のバッグとしても使っているところ、クリアファイルや封筒がバッグの底で丸まってしまうという話を耳にした。そこで、発明者は、クリアファイルや封筒といった薄い物を立たせた状態で収納するという課題と、幅の広い物も収納できるといった相反する課題の解決に取り組み始めた。
【００２３】
そして、発明者は、薄い物を立たせた状態で収納する仕組みをバッグの中敷きに詰め込むと、薄い物を立たせた状態で収納できるとともに幅の広い物も収納できることを見いだし、この発明を創作するに至ったものである。
【００２４】
次に、この発明の実施形態について、適宜図面を参照しながら詳細に説明する。図１は、実施形態に係るバッグの中敷きの使用状態を示す説明図である。図１に示すように、バッグの中敷き１は、中敷き本体２と突起３とを有して構成されている。そして、実施形態に係るバッグの中敷き１では、バッグの内部が複数の室に分かれていないバッグ、ここではトートバッグＢの中に敷いて使用されるものである。
【００２５】
図１に示すように、実施形態に係るバッグの中敷き１では、クリアファイルや封筒といった薄い物、ここではクリアファイルＣをトートバッグＢに入れると、クリアファイルＣの一辺が突起３に引っ掛かり、クリアファイルＣがずれ動くことがない。そのため、実施形態に係るバッグの中敷き１では、クリアファイルＣがトートバッグＢの中で立った状態で収納される。
【００２６】
特に、図１に示すように、トートバッグＢにクリアファイルＣとほかの物、ここでは弁当箱Ｌを一緒に入れると、クリアファイルＣがトートバッグＢの底で丸まり、弁当箱Ｌに押しつぶされて、クリアファイルＣに入れた書類がしわくちゃになってしまうところ、実施形態に係るバッグの中敷き１では、クリアファイルＣが立った状態で収納されるため、クリアファイルＣがトートバッグＢの底で丸まって、クリアファイルＣに入れた書類がしわくちゃになってしまうこともない。
【００２７】
また、図１に示すように、実施形態に係るバッグの中敷き１では、中敷き本体２の表面に突起３を設ける構造であり、トートバッグＢのマチを仕切るものでないことから、マチ幅いっぱいの幅の広い物、ここでは弁当箱Ｌも収納できる。
【００２８】
図２は、実施形態に係るバッグの中敷き１の斜視図である。図２に示すように、実施形態に係るバッグの中敷き１は、中敷き本体２と突起３とを有して構成されている。
【００２９】
中敷き本体２は、板状の部材であり、バッグの中に敷いたときに荷物の重みでゆがまない程度の剛性を有する部材である。
【００３０】
突起３は、クリアファイルや封筒といった薄い物を引っ掛ける部材や部分である。突起３は、ここではバッグの底びょう、具体的にはゴム底びょうを転用したものであり、直角の立ち上がり部を有している。そして、突起３は、中敷き本体２に対して直角の立ち上がり部で、クリアファイルＣを引っ掛けて、ずれ動かないように保持する。
【００３１】
図２に示すように、実施形態に係るバッグの中敷き１では、突起３が中敷き本体２の長辺に沿って列状に複数個ほど、数列配されている。そのため、クリアファイルＣが無造作にトートバッグＢ（図１参照）に差し入れられても、いずれかの列で複数の突起３によって、または列がずれても複数の突起３によって、クリアファイルＣの一辺を複数の点、ここでは２つの突起３，３で引っ掛けられる。
【００３２】
実施形態に係るバッグの中敷き１では、突起３としてゴム底びょうを転用したところ、クリアファイルや封筒をしっかりと滑り止めることができ、突起３に触れたときに冷たさも感じない。
【００３３】
図３は、他の実施形態に係るバッグの中敷き１の斜視図である。図３に示すように、他の実施形態に係るバッグの中敷き１では、突起３１がバッグの底びょう、具体的には半丸底びょうを転用したものである。そして、突起３１は、中敷き本体２に対してほぼ直角の立ち上がり部で、クリアファイルＣを引っ掛けて、ずれ動かないように保持する。なお、突起の形状としては、中敷き本体２の表面に対して鋭角又は直角の立ち上がり部を有すことが望ましいものの、突起３１として半丸底びょうを転用したところ、クリアファイルや封筒をずれ動かないように保持できたことから、クリアファイルや封筒をずれ動かないように保持できる限りにおいて、鈍角であってもかまわない。
【００３４】
他の実施形態に係るバッグの中敷き１では、突起３１として半丸底びょうを転用したところ、突起３１を半丸の形にすると、クリアファイルＣが突起３１の上に差し入れられても半丸の斜面を滑り落ちて、確実にクリアファイルＣを引っ掛けられる。
【００３５】
図４は、他の実施形態に係るバッグの中敷き１の斜視図である。図４に示すように、他の実施形態に係るバッグの中敷き１では、突起３２がバッグのベロ差しやベルト通し用のコの字カンを転用したものである。そして、突起３２は、中敷き本体２に対して直角の立ち上がり部で、クリアファイルＣを引っ掛けて、ずれ動かないように保持する。
【００３６】
図４に示すように、実施形態に係るバッグの中敷き１では、突起３２が中敷き本体２の長辺に対して数列配されている。そのため、クリアファイルＣが無造作にトートバッグＢ（図１参照）に差し入れられても、いずれかの列の突起３２によって、クリアファイルＣを引っ掛けられる。
【００３７】
他の実施形態に係るバッグの中敷き１では、突起３２としてコの字カンを転用したところ、突起３２をコの字の形にすると、一つの突起３２でクリアファイルＣの一辺が間隔を空けて２つの点で引っ掛かる。そのため、突起３２をコの字の形にすると、突起の数を例えば図２や図３に示す突起３や突起３１よりも少なくできる。
【００３８】
図５は、他の実施形態に係るバッグの中敷き１の斜視図である。図５に示すように、他の実施形態に係るバッグの中敷き１では、突起３３が中敷き本体２の長辺に沿って列状に複数本ほど設けられている。ここで、突起３３は、棒状やストロー状の物を包み込んで中敷き本体２に縫い付けられていて、バッグの中敷き２の表面に対して鋭角の立ち上がり部を有する。また、突起３３は、突起３３に力が加わると倒れるように縫い付けられている。
【００３９】
図５に示すように、実施形態に係るバッグの中敷き１では、突起３３が中敷き本体２の長辺に沿って列状に複数本ほど設けられているため、クリアファイルＣが無造作にトートバッグＢ（図１参照）に差し入れられても、いずれかの列の突起３３によって、クリアファイルＣを引っ掛けられる。また、突起３３がバッグの中敷き２の表面に対して鋭角の立ち上がり部を有するために、引っ掛かったクリアファイルＣは外れにくい。
【００４０】
図６は、他の実施形態に係るバッグの中敷き１の斜視図である。図６に示すように、他の実施形態に係るバッグの中敷き１では、突起３４が中敷き本体２の長辺に沿って列状に複数本ほど設けられている。ここでは、突起３４は、垂直方向の中央が厚みも持たせて持形成されており、突起３４に力が加わると倒れるように中敷き本体２と一体成型されている。
【００４１】
図６に示すように、実施形態に係るバッグの中敷き１では、突起３４が中敷き本体２の長辺に沿って列状に複数本ほど設けられているため、クリアファイルＣが無造作にトートバッグＢ（図１参照）に差し入れられても、いずれかの列の突起３４によって、クリアファイルＣを引っ掛けられる。また、突起３４がバッグの中敷き２の表面に対して鋭角の立ち上がり部を有するために、引っ掛かったクリアファイルＣは外れにくい。
【００４２】
図７は、他の実施形態に係るバッグの中敷き１、具体的には突起３４に係るバッグの中敷き１の使用状態を示す説明図であり、バッグの内部が複数の室に分かれていないバッグ、ここではトートバッグＢの中に敷いて使用される状態を示している。
【００４３】
図７に示すように、実施形態に係るバッグの中敷き１では、トートバッグＢにクリアファイルＣとほかの物、ここではノートパソコンＰを一緒に入れても、クリアファイルＣが立った状態で収納されるため、クリアファイルＣがトートバッグＢの底で丸まって、クリアファイルＣに入れた書類がしわくちゃになってしまうこともない。
【００４４】
さらに、図７に示すように、実施形態に係るバッグの中敷き１では、突起３４が力が加わると倒れるため、ノートパソコンＰの重みで倒れた突起３４がパソコンを衝撃から守る役目を果たす。
【００４５】
以上、この発明の実施形態について説明したが、この発明は前記実施形態には限定されない。例えば、実施形態に係るバッグの中敷き１では、突起として底びょうなとを転用した例を示したが、クリアファイルや封筒など薄い物をずれ動かないように保持できる限りにおいて、どのような物を中敷き本体２に取り付けても、どのような形状を中敷き本体２と一体成型してもかまわない。
【００４６】
また、実施形態に係るバッグの中敷き１では、バッグの内部が複数の室に分かれていないバッグの中に敷いて使用されると説明したが、バッグの内部が複数の室に分かれているバッグの中に敷いて使用してもかまわない。
【符号の説明】
【００４７】
１  バッグの中敷き
２  中敷き本体
３  突起
Ｂ  トートバッグ
Ｃ  クリアファイル
【図１】
2018094226.tif 000003
【図２】
2018094226.tif 000004
【図３】
2018094226.tif 000005
【図４】
2018094226.tif 000006
【図５】
2018094226.tif 000007
【図６】
2018094226.tif 000008
【図７】
2018094226.tif 000009